(57)【要約】【課題】虹彩の背面の摩滅損傷を最小にする装着良好の眼内コンタクトレンズを提供する。【解決手段】移植用眼内コンタクトレンズ（１０，２０，３０，４０，５０，６０，７０，８０）は、レンズ部とレンズ本体部との移行部を備える。眼内コンタクトレンズの前側表面に、眼内コンタクトレンズと虹彩の背部との間の潤滑を向上する溝（Ｇ）、上記眼内コンタクトレンズの前方表面と後方表面の圧力を等しくする少なくとも空気通路（８６）、移植手術の間に、取扱器具の先端が水晶体に接触することを防止し、虹彩の下で眼内コンタクトレンズ処置用の少なくとも一つの窪み（９２）を含む。【選択図】図２３
2006095343.tif 000002
【特許請求の範囲】
【請求項１】
眼の虹彩と天然レンズとの間に移植するための眼内コンタクトレンズであって、
第１の曲率を有する中央レンズ部と、
該中央レンズ部から延びているレンズ本体部にして、該中央レンズ部の前記第１の曲率と異なる第２の曲率を有する、前記レンズ本体部と、
前記中央レンズ部を前記レンズ本体部に連結する移行レンズ部にして、前記中央レンズ部から前記レンズ本体部までなめらかな曲率で移り変って眼の虹彩の背面を摩滅又は損傷させるのを阻止するように最小のかどしか形成されないような所定の寸法と形状とを有している、前記移行レンズ部とを含み、
前記中央レンズ部、前記移行レンズ部及び前記レンズ本体部は前記中央レンズ部と外側表面と前記レンズ本体部の外側表面との間がなめらかな曲率で移り変る連続した曲がりの外側表面を画定しており、
前記眼内コンタクトレンズは眼の天然水晶レンズの外側表面に亘って適合する凹型形状面を有し且つ該眼内コンタクトレンズの前方表面と後方表面との間の圧力を等しくするように該眼内コンタクトレンズの中央レンズ部の前方表面と後方表面との間に延びる少なくとも一つの通路を有することを特徴とする眼内コンタクトレンズ。
【請求項２】
上記通路が、上記中央レンズ部の中心に位置する請求項１に従うレンズ。
【発明の詳細な説明】
【技術分野】
【０００１】
本発明は眼内コンタクトレンズ及び眼内コンタクトレンズを眼内に移植する方法に関する。特に、本発明は人間の眼に外科移植するためのコンタクトレンズ、及び眼内コンタクトレンズを人間の眼内に移植する方法に関する。
【背景技術】
【０００２】
従来、コンタクトレンズは眼の外面で使用するために開発され、市場で売買の対象とされた。当初、コンタクトレンズは、すべてガラスで製造されていたが、ガラスは合成プラスチック材料、特に眼とのあらゆる反応を最小にする材料に実質的に置き換えられるようになった。
【０００３】
１９８９年、シリコーン眼内コンタクトレンズがロシア人によって開示された。図２６は、ロシア人による眼内コンタクトレンズが眼に装着された様子を示す。この図は、眼内コンタクトレンズを眼に取り付ける方法を明らかにしている。詳細には、眼内コンタクトレンズ２００は水晶体２０４と接触する湾曲したレンズ本体２０２を含む。湾曲したレンズ本体２０２は、中央において突出部２０６が延在し、突出部２０６は、湾曲したレンズ本体２０２とともに環状溝２０８を画定する。突出部２０６は、虹彩２１０の内側環状端２１１が環状溝２０８内に受け入れられるように虹彩２１０にはめ合わせられている。
【０００４】
１９９１年、ロシア人は再び新規なシリコーンの眼内レンズを開示した。図２７は、環状の突出部３０４を備えた湾曲した本体部３０２を有する眼内レンズの横断面図を示す。環状突出部３０４は、かなり鋭い環状のエッジ３０６を定めている。この特殊なレンズは、使用の際に幾つかの困難に出くわす。すなわち、環状のエッジ３０６がかなり鋭いため、虹彩の大きさが変化するたびに虹彩の内側表面を繰り返し引っ掻き、虹彩から色素を掻き取る。
【発明の開示】
【発明が解決しようとする課題】
【０００５】
本発明の目的は、改良された眼内コンタクトレンズを提供することにある。
【０００６】
本発明の別の目的は、虹彩の背面の摩滅又は損傷を最小にする外側表面曲率を有する眼内コンタクトレンズを提供することにある。
【０００７】
本発明のさらに別の目的は、眼内コンタクトレンズの外側表面においてレンズ本体部とレンズ部との間の滑らかな移り変わりを有する眼内コンタクトレンズを提供することにある。
【０００８】
本発明のさらに別の目的は、少なくとの１つの環状溝、特に１つの環状溝を眼内コンタクトレンズの外側表面に有する眼内コンタクトレンズを提供することにある。
【０００９】
本発明のさらに別の目的は、眼内コンタクトレンズの後方表面及び前方表面における眼内圧力を等しくするための貫通孔又は通路を備えた眼内コンタクトレンズを提供することにある。
【００１０】
本発明の目的は、眼内コンタクトレンズを移植するための改良された方法を提供することにある。
【００１１】
本発明のこれらの目的及び他の目的は、従来の眼内コンタクトレンズに対して構造及び配置を改良する様々な概念によって解決することができる。
【課題を解決するための手段】
【００１２】
本発明に従う眼内コンタクトレンズは、レンズ本体部からレンズ部に、又は、レンズ部からレンズ本体部に、滑らかに変移する外側曲率半径を備える。詳細には、レンズ本体部と中央レンズ部との間のレンズの外側曲率半径に変移部（移行部）が存在する。この２つの部分又は領域の間の曲率半径の変移は、エッジを最小に形成し、それによって虹彩の背面の損傷又は摩滅を防止するような変移であることが重要である。変移は、レンズ本体部と中央レンズ部との間の変移において、曲率半径の傾斜が極めて小さくなるように形成することができ、それによって変移を滑らかにする。このような構造は、眼内で良好に作用し、虹彩の背面の損傷又は摩滅を発現させず、そして虹彩の背面の損傷及び摩滅を引き起こすロシア人の従来技術の眼内コンタクトレンズに対してかなりの改良をもたらす。
【００１３】
本発明に従う別の概念は、眼内コンタクトレンズの前面表面に少なくとも１つの溝を設けることにある。溝は、単一の溝又は複数の溝のパターンにすることができる。溝は環状、真っすぐな形、湾曲した形状又はそれらを組み台わせた形状にすることができる。さらに溝の断面形状は、半円、四角、Ｖ型又は他の好適な断面形状にすることができる。
【００１４】
溝は、レンズ本体部中に位置し、且つ、レンズ部を取り囲む環状溝の構造であることが好ましい。この環状溝は、眼液の良好な循環を可能にし、眼内コンタクトレンズと虹彩の背面との間の潤滑を促進する。他の溝構造を用いることができるが、環状構造が極めて良好に動作するようである。
【００１５】
本発明に従うさらに別の概念は、眼内コンタクトレンズの後方表面と前方表面との間で眼内コンタクトレンズを通る通路を提供することにある。該通路は、眼内コンタクトレンズの後方表面と前方表面の眼内圧力を等しくし、前眼房と後眼房の圧力を等しくすることができる。該通路は、種々の異なる形態でもたらすことができ、前方表面と後方表面を連結し連続空気通路を形成する通路、並びに、１つ又はそれ以上の特定の場所において、眼内コンタクトレンズの厚みを通る孔又は別のタイプの空気通路を含む。例えば、眼内コンタクトレンズの前方面及び後方面の両方が、環状溝と該環状溝から半径方向外側に眼内コンタクトレンズの端部まで延びる単一の半径方向外側延在溝とを、それぞれ、備えることができ、２つの半径方向外側延在溝は同じ外周位置で出合い、それによって環状溝を連結する連続空気通路をもたらす。他の具体例において、少なくとも１つの孔を眼内コンタクトレンズの外周近傍に設けることができる。さらに別の具体例において、孔を、眼内コンタクトレンズの中心で、眼内コンタクトレンズの光軸に沿って設けるのが一層好ましく、それは、眼内圧を等しくする最良の位置をもたらし、且つ、眼内コンタクトレンズの光学特性に影響を与えない。
【００１６】
さらに別の本発明の概念は、眼内コンタクトレンズの前方表面に出口のない孔を設けることであり、該孔は天然レンズ（水晶体）に触れることなく眼内コンタクトレンズを虹彩の下に挿入し且つ位置づけるプロセスにおいて用いられる。
【００１７】
本発明に従う眼内コンタクトレンズを移植する方法は、眼内レンズを水晶体と虹彩との間の後眼房中に置くことを含む。さらに、移植方法の重要な手順は、少なくとも１つの貫通孔を虹彩に設け、前眼房と後眼房を流体連絡させて、それらの間の圧力を等しくさせることを含む。これは、眼内コンタクトレンズが吸引されて虹彩の背部にきつく接触し、虹彩の背部の著しい損傷及び摩滅を引き起こすことを防止する。この悪影響は、後眼房と前眼房との間の圧力差に基づく。それゆえ、その少なくとも１つの貫通孔はこの状況を緩和する。
【発明を実施するための最良の形態】
【００１８】
本発明に従う凸型眼内コンタクトレンズの具体例を図１−３に示す。
【００１９】
眼内コンタクトレンズ１０は、主軸径ＤＭ及び副軸径Ｄｍ並びに半径Ｒ２によって画定される卵形レンズ本体部１２と、直径Ｄｏを有する環状レンズ部１４とによって画定される。
【００２０】
図１に示したように、レンズ部１４は厚さＴｃを有し、レンズ本体部１２はエッジ厚さＴｅを有する。さらに、レンズ部１４は曲率ＳＲｆｒを有し、レンズ本体部１２は外側曲率ＳＲｏ及び内側曲率Ｓｒｉを有する。
【００２１】
本発明に従う凸型眼内コンタクトレンズの別の具体例を図４−６に示す。
【００２２】
眼内コンタクトレンズ２０は、主軸径ＤＭ及び副軸径Ｄｍ並びに半径Ｒ２によって画定される卵形レンズ本体部２２と、直径Ｄｏを有する環状レンズ部２４とによって画定される。
【００２３】
図４に示したように、レンズ部２４は厚さＴｃを有し、レンズ本体部２２はエッジ厚さＴｅを有する。さらに、レンズ部２４は曲率ＳＲｆｒを有し、レンズ本体部２２は外側曲率ＳＲｆｒ２（ＳＲｏ）及び内側曲率Ｓｒｉを有する。
【００２４】
凸型眼内コンタクトレンズの特定の例を図７の表に示す。これらの例において、Ｔ＝０．０５±０．０２ｍｍ、Ｓｒｏ＝９．４±０．１、Ｓｒｉ＝９．８、ＤＭ＝１０．５±０．１ｍｍ、Ｄｍ＝６±０．３ｍｍ及びＲ２±０．１である。
【００２５】
本発明に従う凹型眼内コンタクトレンズの具体例を図８−１０に示す。
【００２６】
眼内コンタクトレンズ３０は、主軸径ＤＭ及び副軸径Ｄｍ並びに半径Ｒ２によって画定される卵形レンズ本体部３２と、直径Ｄｏを有する環状レンズ部３４とによって画定される。
【００２７】
図８に示したように、レンズ部３４は厚さＴｃを有し、レンズ本体部３２はエッジ厚さＴｅを有する。さらに、レンズ部３４は曲率ＳＲｆｒを有し、レンズ本体部３２は外側曲率ＳＲｏ及び内側曲率Ｓｒｉを有する。
【００２８】
本発明に従う凹型眼内コンタクトレンズの別の具体例を図１１−１３に示す。
【００２９】
眼内コンタクトレンズ４０は、主軸径ＤＭ及び副軸径Ｄｍ並びに半径Ｒ２によって画定される卵形レンズ本体部４２と、直径Ｄｏを有する環状レンズ部４４とによって画定される。
【００３０】
図１１に示したように、レンズ部４４は厚さＴｃを有し、レンズ本体部４２はエッジ厚さＴｅを有する。さらに、レンズ部４４は曲率ＳＲｆｒを有し、レンズ本体部４２は外側曲率ＳＲｆｒ２（ＳＲｏ）及び内側曲率Ｓｒｉを有する。
【００３１】
凸型眼内コンタクトレンズの特定の例を図１４の表に示す。これらの例において、Ｔ＝０．０５±０．０２ｍｍ、Ｓｒｏ＝９．４±０．1、Ｓｒｉ＝９．８、ＤＭ＝１０．５±０．１ｍｍ、Ｄｍ＝６±０．３ｍｍ及びＲ２±０．１である。
【００３２】
本発明に従う凸型眼内コンタクトレンズ５０のさらに別の具体例を図１５−１７に示す。
【００３３】
眼内コンタクトレンズ５０は、主軸径ＤＭ及び副軸径Ｄｍ並びに半径Ｒ２によって画定される卵形レンズ本体部５２と、直径Ｄｏを有する環状レンズ部５４とによって画定される。
【００３４】
図１６に示したように、レンズ部５４は厚さＴｃを有し、レンズ本体部５２はエッジ厚さＴｅを有する。
【００３５】
眼内コンタクトレンズの詳細な曲率を図１７に示す。この特定のレンズの例を図１８の表に示す。符号Ｒ１−Ｒ８は、図１７の符号に対応する。
【００３６】
本発明に従う凹型眼内コンタクトレンズ６０のさらに別の具体例を図１９に示す。この具体例は、眼内コンタクトレンズ中心と天然レンズとの間に小さなギャップが存在するという利点がある。その小さなギャップは体液の流通を可能とし、眼の中で機械的損傷及び白濁を起こす可能性がある摩擦を最小にする。
【００３７】
凹型眼内コンタクトレンズ７０のまた別の具体例を図２０に示す。
【００３８】
眼内コンタクトレンズ７０は、主軸径ＤＭ及び副軸径Ｄｍによって画定される卵形レンズ本体部７２と、直径Ｄｏを有する環状レンズ部７４とによって画定される。図２１に示したように、レンズ部７４は厚さＴｃを有し、レンズ本体部７２はエッジ厚さＴｅを有する。
【００３９】
この具体例の重要な特徴は、環状溝Ｇがレンズ部７４を取り囲んでレンズ本体部７２に設けられていることである。環状溝Ｇは、眼の内部の流体の循環を可能にする。さらに、外科的処置の間に溝Ｇを用いてレンズを取り扱うことができる。溝Ｇは眼内の圧力を均一にすることを促進する。
【００４０】
レンズ本体部８２及びレンズ部８４を有する眼内コンタクトレンズ８０の好ましい具体例を図２２及び図２３に示す。この具体例において、空気通路８６（例えば孔）がレンズ部８４の中心光軸に設けられており、空気通路８６は眼内コンタクトレンズ８０の前方表面８８と後方表面９０の圧力を等しくする。この空気通路８６は前眼房と後眼房との間の圧力を等しくする。そうでなければ、眼内コンタクトレンズの前方面において、かなりの吸引又は負圧が発生することになり、虹彩の背部を吸引し眼内コンタクトレンズの全面に接触させ、そして虹彩の損傷又は摩滅を生じる。
【００４１】
眼内コンタクトレンズ８０は、図２２−２４に示したように一対の窪み９２を備え、窪み９２は移植手術の間に眼内コンタクトレンズ８０を虹彩の下で操作することを可能とする。窪み９２は、操作の目的からすれば貫通孔よりもかなり良好である。なぜなら、窪みの底部は操作器具がレンズを貫通させて天然レンズに意図せずに接触することを防止するからである。操作器具が天然レンズに接触すると、即座に天然レンズを白濁させるであろう。
【００４２】
図２５は、本発明に従う眼内コンタクトレンズが、眼の中に置かれた様子を示す。
【００４３】
眼内コンタクトレンズ１００は、天然結晶レンズ（水晶体）１０２の上で且つ虹彩１０４の下に位置される。眼内コンタクトレンズは、後眼房１０６に置かれる。
【００４４】
眼内コンタクトレンズ中の前方表面と後方表面を通る空気通路を設ける代わりにあるいはそれに追加して、虹彩１０４中に貫通孔１０８を設けることができ、貫通孔１０８は後眼房１０６と前眼房１１０をつなぐ管路となる。貫通孔１０８は後眼房１０６と前眼房１１０との間の圧力を等しくし、それによって虹彩１０４は連続的に吸引されて眼内コンタクトレンズと接触することがなく、虹彩１０４の背部を損傷又は摩滅させることがない。
【図面の簡単な説明】
【００４５】
【図１】図３に示した本発明に従う凸型眼内コンタクトレンズの断面図である。
【図２】図３に示した方向で切断した、図１における眼内レンズの断面図である。
【図３】図１及び図２に示した凸型眼内レンズの上面図である。
【図４】図６に示した本発明に従う凸型眼内コンタクトレンズの別の具体例である。
【図５】図６に示した方向で切断した、図４に示す凸型眼内コンタクトレンズの断面図である。
【図６】図５及び図６に示した凸型眼内コンタクトレンズの上面図である。
【図７】図１−６に示した２つの具体例に関する凸型眼内コンタクトレンズの実施例の表である。
【図８】図１０に示した本発明に従う凹型眼内コンタクトレンズの断面図である。
【図９】図１０に示した方向で切断した、図８に示す凹型眼内コンタクトレンズの断面図である。
【図１０】図８及び図９に示した凹型眼内コンタクトレンズの上面図である。
【図１１】図１２に示した本発明に従う凹型眼内コンタクトレンズの別の具体例である。
【図１２】図１３に示した方向で切断した、図１１に示す凹型眼内コンタクトレンズの断面図である。
【図１３】図１１及び図１２に示した凹型眼内コンタクトレンズの上面図である。
【図１４】図８−１３に示した２つの具体例に関する凹型眼内レンズの実施例の表である。
【図１５】本発明に従う凸型眼内コンタクトレンズの別の具体例の上面図である。
【図１６】図１５に示した凸型眼内コンタクトレンズの断面図である。
【図１７】図１５及び図１６に示した凸型眼内コンタクトレンズの１部分の部分詳細断面図であり、その曲率を例示する。
【図１８】図１５−１７に示した凸型眼内レンズの具体例の詳細な曲率を示した表である。
【図１９】本発明に従う凹型眼内コンタクトレンズの別の具体例である。
【図２０】本発明に従うレンズ本体部に環状溝を有する、別の凹型眼内コンタクトレンズの上面図である。
【図２１】図２０に示した凹型眼内コンタクトレンズの断面図である。
【図２２】レンズ光学中心に貫通孔が設けられた本発明に従う眼内コンタクトレンズの好ましい具体例である。
【図２３】図２０に示した眼内コンタクトレンズの断面図である。
【図２４】本発明に従う眼内コンタクトレンズが移植された眼の断面図である。
【図２５】従来技術の眼内コンタクトレンズが移植された眼の断面図である。
【図２６】従来技術の眼内コンタクトレンズが移植された別の具体例の断面図である。
【図２７】従来技術の眼内コンタクトレンズのさらに別の具体例の断面図である。
【図１】
2006095343.tif 000003
【図２】
2006095343.tif 000004
【図３】
2006095343.tif 000005
【図４】
2006095343.tif 000006
【図５】
2006095343.tif 000007
【図６】
2006095343.tif 000008
【図７】
2006095343.tif 000009
【図８】
2006095343.tif 000010
【図９】
2006095343.tif 000011
【図１０】
2006095343.tif 000012
【図１１】
2006095343.tif 000013
【図１２】
2006095343.tif 000014
【図１３】
2006095343.tif 000015
【図１４】
2006095343.tif 000016
【図１５】
2006095343.tif 000017
【図１６】
2006095343.tif 000018
【図１７】
2006095343.tif 000019
【図１８】
2006095343.tif 000020
【図１９】
2006095343.tif 000021
【図２０】
2006095343.tif 000022
【図２１】
2006095343.tif 000023
【図２２】
2006095343.tif 000024
【図２３】
2006095343.tif 000025
【図２４】
2006095343.tif 000026
【図２５】
2006095343.tif 000027
【図２６】
2006095343.tif 000028
【図２７】
2006095343.tif 000029